(57)【特許請求の範囲】
【請求項１】
主バーナの着火をパイロットバーナの火炎により行うガス機器の着火装置において、
前記火炎の中間部の周囲の少なくとも２方向を遮蔽して前記火炎を保持する火炎保持具を付設したことを特徴とするパイロットバーナ式着火装置。
【請求項２】
請求項１に記載のパイロットバーナ式着火装置において、前記火炎保持具は、一端から前記火炎が侵入し他端から吹出して前記火炎の中間部を保持する樋または筒であることを特徴とするパイロットバーナ式着火装置。
【請求項３】
請求項１または２に記載のパイロットバーナ式着火装置において、前記火炎は、前記火炎保持具の軸に対し傾斜をもって前記火炎保持具に侵入することを特徴とするパイロットバーナ式着火装置。
【請求項４】
請求項１〜３のいずれかに記載のパイロットバーナ式着火装置において、前記主バーナは下向きの燃焼面を有するグリルバーナであり、前記火炎保持具は上方が開放した樋状を呈するとともに、グリル庫の側壁を貫通した火炎口に配されたことを特徴とするパイロットバーナ式着火装置。
【発明の詳細な説明】
【０００１】
【発明の属する技術分野】
この発明は、パイロットバーナにより主バーナの着火を行うガス機器などのパイロットバーナ式着火装置に関する。
【０００２】
【従来の技術】
パイロットバーナ３の火炎４で主バーナ５に着火する方式の着火装置では、図４または図５に示す如く、ガス圧の変動により火炎４の長さが４Ａ、４Ｂ、４Ｃの如く大きく変動する。このため、火炎４が短い場合にも長い場合にも、主バーナ５の炎孔（燃焼板式バーナでは燃焼面５２）に火炎４Ａ、４Ｂ、４Ｃが近接でき主バーナ５への着火が確実にできるようにする必要がある。この結果、パイロットバーナ３の火炎４が近接する部分の主バーナ５の着火面５０は、火炎４方向の寸法を大きくするなど、主バーナ５の燃焼面５２またはパイロットバーナ３の設計に制約が生じる。なお、パイロットバーナ３の火炎４の長さは、天然ガス、プロパンガス、石炭ガスなどガス種（燃料）によっても変化するため、上記と同様な問題が生じている。
【０００３】
【発明が解決しようとする課題】
従来のパイロットバーナ式着火装置では、主バーナへの火移りを確実にできるようにするための制約から、主バーナの設計に制限が生じ、加熱範囲の温度分布の適正化やガス機器のコンパクト化の障害となっている。
この発明の目的は、ガス圧やガス種の変化に対するパイロットバーナの火炎の長さの増減を小さくでき、主バーナの燃焼面の形状など設計の自由度の増大が可能になるとともに、主バーナによる加熱範囲内の温度分布を適正化できるパイロットバーナ式着火装置の提供にある。
【０００４】
【課題を解決するための手段】
この発明は、主バーナの着火をパイロットバーナの火炎により行うガス機器の着火装置において、前記火炎の中間部の周囲の少なくとも２方向を遮蔽して前記火炎を保持する火炎保持具を付設したことを特徴とする。前記火炎保持具は、一端から前記火炎が侵入し他端から吹出して前記火炎の中間部を保持する樋または筒で形成すると実用性が高い。
【０００５】
【発明の効果】
この発明では、ガス圧が高いためパイロットバーナの火炎が大きいときは、火炎保持具が火炎の通過抵抗となり伸長を抑制し、ガス圧が低いため火炎が小さいときは、火炎保持具が火炎を保持して上方への湾曲を防止して伸長を促進する。このため、ガス圧の変化に対するパイロットバーナの火炎の長さの変化を小さくできる。この結果、主バーナの設計の自由度の増大および温度分布の適正化が容易となる。
【０００６】
請求項３に記載の構成では、パイロットバーナの火炎は、火炎保持具の軸に対し傾斜をもって火炎保持具に侵入する。このため、火炎が大きいときは、火炎保持具が火炎の抵抗となり伸長を抑制する作用が大きい。また、パイロットバーナ自体を斜めに装着できるので、パイロットバーナの火炎と火炎保持具との接触抵抗が増大できるとともに、パイロットバーナの装着スペースのコンパクト化が行える。
【０００７】
請求項４に記載の構成では、主バーナは下向きの燃焼面を有するグリルバーナであり、火炎保持具は上方が開放した樋状を呈するとともに、グリル庫の側壁を貫通した火炎口に配されている。これにより、グリル庫内の温度分布が適正であるとともに、主バーナの着火が円滑にできるグリル付きのガス機器が構成できる。
【０００８】
【発明の実施の形態】
図１〜図３は、この発明のパイロットバーナ式着火装置１を示し、ガスこんろに設置されている焼調理用グリルのグリル庫１１の側壁１２に取り付けられた火炎保持具２、および側壁１２の外側に配置されたパイロットバーナ３からなる。グリル庫１１には、前面に被調理物の出し入れ口１３、背面に排気口１４が設けられている。側壁１２には、パイロットバーナ３の火炎４を挿通させる火炎口１５が形成されている。火炎口１５は、火炎４の基部４１が楽に挿通できる大きさを有すれば、図示の丸穴以外に多角形、楕円形、長円形などであってもよい。
【０００９】
グリル庫１１の天井は、燃焼板式の主バーナ５のケーシング５１により形成されている。主バーナ５は、ケーシング５１の中央部分に下方を指向した燃焼面５２を有する。燃焼面５２は、いくぶん排気口１４側が上位に設定され下方を指向し、略凵字状に形成されている。火炎保持具２は、火炎口１５と同心的で水平に配され、火炎４の中間部４２の下方および左右側方の３方を囲んで遮蔽している略Ｕ字形の樋２１で形成されている。
【００１０】
火炎４は、パイロットバーナ３に供給されるガス圧が高いときは大火炎４Ａ、ガス圧が低いときは小火炎４Ｃ、ガス圧が中程度では中火炎４Ｂのように、長さを含む大きさが増減する。火炎保持具２は、火炎４の中間部４２において、下方または左右側方からの上昇気流により火炎４が上方に曲がる（持ち上がる）ことを阻止し、火炎４の水平方向の長さを維持する。
【００１１】
大火炎４Ａは、断面積（火炎の太さ）が大きいため、中間部４２が樋２１の内壁面に付着するなどで、火炎が通過する際に樋２１から大きい摩擦抵抗を受ける。このため、水平方向の伸長が妨げれら長さは短縮する。小火炎４Ｃは、断面積（火炎の太さ）が小さいため、火炎が通過する際に樋２１から摩擦抵抗をほどんど受けないとともに、周囲（下方および左右側方）から供給される二次空気が制限され、上方への湾曲が抑制されるため水平方向への伸長が促進され長さが増大する。
【００１２】
火炎保持具２は、先端側（グリル庫１１内側）が斜め上方に傾斜した配置であってもよく、略Ｖ字形の樋、断面が円、長円、楕円、多角形の筒であってもよい。火炎保持具２は、火炎４の中間部４２の周囲の少なくとも２方向からの二次空気の供給を遮断する壁を有することが必要であり、樋の如く３方向または筒の如く４方向を遮蔽することが望ましい。
【００１３】
これは、火炎４の中間部４２の周囲の１方向のみの遮蔽の場合には、遮蔽壁に大面積を要するため装着性が低下するとともに、火炎４の先端部４３が上方に湾曲することを抑制する効果が不充分であることによる。なお、樋２１は、筒に較べ火炎４の先端部４３が火炎保持具２内で上方に曲がり火炎保持具２の先端を直接に炙ることが防止できる利点がある。
【００１４】
この実施例では、Ｕ字形の樋２１は、樋２１の端部から両側方向に直交的に延設された側壁１２の内壁への当接板２２、２３、これら当接板２２、２３の上端を鉤状に曲げて形成した引っ掛け部２４、２５を有し、引っ掛け部２４、２５を側壁１２の上縁１６に引っ掛けて吊るされている。Ｕ字形の樋２１は、側壁１２の内壁へ溶接、ろう付け、ビス止め、火炎口１５への嵌め合いなど他の方法で設けてもよい。
【００１５】
パイロットバーナ３は、ノズル３１が火炎口１５および樋２１の軸心と、偏向角度α＝約３０度の角度で水平的に取り付けられている。ノズル３１の先端には点火のための火花放電電極３３が付設されている。火炎４は、燃料ガスのガス圧の変動により長さが増減する。ガス圧が高く火炎４が大きい場合には、この火炎４は、樋２１の右側壁２Ａ、左側壁２Ｂまたは底壁２Ｃに大面積で接触して、摩擦により減速され長さは短くなる。
【００１６】
ガス圧が低く火炎４が小さい小火炎４Ｃである場合には、樋２１の右側壁２Ａ、左側壁２Ｂまたは底壁２Ｃに接触しないか、接触しても接触面積が小さいため、入口から火炎４に誘導されて樋２１内に吸引される二次空気により、火炎４は伸長する。また、底壁２Ｃにより下方からの上昇気流が塞がれる。このため、小火炎４Ｃは持ち上げる力が抑制され、先端部４３の上方への湾曲が阻止されるため、水平方向の長さは伸長する。
【００１７】
ガス圧の変化に対する火炎４の長さの増減幅が低減する。このため、主バーナ５の燃焼面５２への着火のための着火面５３は小さくても、確実に着火できる。この結果、燃焼面５２の設計の自由度が増大し、グリル庫１１内の温度分布を均一にすることが容易になる。なお、パイロットバーナ３の火炎４の長さは、天然ガス、プロパンガス、石炭ガスなどガス種（燃料）によっても、パイロットバーナのガス量や一次空気の割合が変化するため、火炎４の長さが増減する。この場合にも、この発明の火炎保持具２は火炎４の長さの増減幅を低減させる効果を奏する。
【００１８】
ノズル３１または火炎４の軸は、火炎口１５および樋２１の軸心と同一であってもよいが、この実施例の如く偏向角度α＝約３０度の傾斜でパイロットバーナ３を設定すると、火炎４が樋２１を通過する際に樋２１から火炎４に加わる摩擦による通過抵抗が増大するため、火炎４の伸長を抑制する作用が大きい。傾斜角は、樋の長さによって適宜に設定されるが３０度±１５度の範囲がよい。
【図面の簡単な説明】
【図１】この発明のパイロットバーナ式着火装置の斜視図である。
【図２】この発明のパイロットバーナ式着火装置を有するグリルの正面図である。
【図３】この発明のパイロットバーナ式着火装置を有するグリルの平面図である。
【図４】従来のパイロットバーナ式着火装置を有するグリルの正面図である。
【図５】従来のパイロットバーナ式着火装置を有するグリルの平面図である。
【符号の説明】
１    パイロットバーナ式着火装置
２    火炎保持具
３    パイロットバーナ
４    火炎
５    主バーナ
１１  グリル庫
１２  側壁
１５  火炎口
２１  樋
４２  中間部
５２  燃焼面
５３  着火面
【図１】
0003665248.tif 000002
【図２】
0003665248.tif 000003
【図３】
0003665248.tif 000004
【図４】
0003665248.tif 000005
【図５】
0003665248.tif 000006